(57)【要約】【課題】蒸発皿を圧縮機の下方に設けて機械室を低くして庫内を大きくした冷蔵庫を提供する。【解決手段】圧縮機２４と、制御装置と接続され圧縮機２４の外郭に突出した電装部２３と、冷蔵庫内の除霜水を庫外に溜める蒸発皿２７とを有し、圧縮機２４の外郭下方に蒸発皿２７を配置する機械室２２を備え、蒸発皿２７は電装部２３の下方まで延在して形成しないことにより、冷蔵庫のドアの開け閉めによる冷蔵庫の振動や圧縮機２４の起動・停止時の圧縮機２４や防振支持装置３２の振動などにより、蒸発皿２７に溜まっている除霜水が波打っても容易に電装部２３にかかり、濡らすのを防止できる。【選択図】図２
2011208901.tif 000002
【特許請求の範囲】
【請求項１】
冷蔵庫の運転を制御する制御装置によって運転される圧縮機と、前記制御装置と接続され前記圧縮機の外郭に突出した電装部と、前記冷蔵庫内の除霜水を庫外に溜める蒸発皿とを有し、前記圧縮機の外郭下方に前記蒸発皿を配置する機械室を備え、前記蒸発皿は前記電装部の下方まで延在して形成しない冷蔵庫。
【請求項２】
蒸発皿は、電装部側を浅くなるように形成したことを特徴とする請求項１の冷蔵庫。
【請求項３】
蒸発皿は、電装部から離れた側の壁面上部に開口部を形成したことを特徴とする請求項１または２の冷蔵庫。
【請求項４】
蒸発皿は機械室の底板と一体に形成したことを特徴とする請求項１から３のいずれか一項に記載の冷蔵庫。
【請求項５】
蒸発皿は樹脂で形成されていることを特徴とする請求項１から４のいずれか一項に記載の冷蔵庫。
【請求項６】
機械室内に配管された冷凍サイクルを構成する高圧側の蒸発促進配管を保持する保持部材を蒸発皿と一体で形成した請求項５に記載の冷蔵庫。
【発明の詳細な説明】
【技術分野】
【０００１】
本発明は、機械室に圧縮機と蒸発皿を設けた冷蔵庫に関する。
【背景技術】
【０００２】
従来、この種の冷蔵庫としては、冷蔵庫本体の背面下部に形成した機械室に圧縮機、蒸発皿、凝縮器と送風機とを組合せた蒸発促進手段とを配置したものがある。（例えば、特許文献１参照）
図５、６は、特許文献１に記載された従来の冷蔵庫を示すものである。図５、６に示すように、冷蔵庫本体１の背面下部に形成した機械室２に、冷凍サイクルの一部を成す電装部３を外郭に備えた圧縮機４と凝縮器５と、冷蔵庫内の霜が融けた水（除霜水）が排水管６から導かれる蒸発皿７と、凝縮器５と圧縮機４、蒸発皿７に空気を吹出する軸流送風機８とを組合せた蒸発促進手段９とを配置している。
【０００３】
特に、蒸発皿７は圧縮機４の下方に配置され、圧縮機４は防振支持装置１０を介して蒸発皿７上に隙間を有して設置されている。冷蔵庫本体１は庫内１１を形成する内箱１２と、外装を形成する外箱１３と、内箱１２と外箱１３との間隙に充填した断熱材１４とから構成され、内箱１２に設置された蒸発器１５に付着した霜を加熱して溶かすヒータ１６と、蒸発器１５下方に除霜水を排水する排水管６を配置している。また、機械室２は内箱１２と外箱１３及び底板１７から形成され、底板１７には圧縮機４、蒸発皿７、防振支持装置１０を配置している。制御装置（図示せず）は圧縮機４とヒータ１６とを制御する。
【０００４】
以上のように構成された冷蔵庫について、以下その動作を説明する。
【０００５】
まず、制御装置が圧縮機４を駆動させ、圧縮機４が気体状冷媒を高温・高圧にする。次に軸流送風機８により空冷される凝縮器５が高温・高圧の気体状冷媒を高圧の液状冷媒にする。続いて高圧の液状冷媒が毛細管（図示せず）で低温・低圧になり、さらに蒸発器１５で気体なりながら庫内１１を冷却し、圧縮機４に戻る。（冷凍サイクル）。
【０００６】
霜が蒸発器１５に付着して、蒸発能力が著しく低下した場合、制御装置が圧縮機４を停止し、またヒータ１６をＯＮにして蒸発器１５を加熱し、霜を溶かして冷却能力を回復している。蒸発器１５に付着し、溶かされ生成した除霜水は排水管６を通り蒸発皿７に溜められる。（一般に０．５Ｌ〜３Ｌ／日）そして、軸流送風機８が凝縮器５の空冷により温度上昇した温風を蒸発皿７に吹付けるので、蒸発皿７に溜められた除霜水は蒸発促進され減少し、除霜水が蒸発皿７から溢れることはない。
【先行技術文献】
【特許文献】
【０００７】
【特許文献１】特開２００９−１４２６２号公報
【発明の概要】
【発明が解決しようとする課題】
【０００８】
しかしながら、前記従来の構成では、除霜水が常に溜まる蒸発皿７内に防振支持装置１０を介して圧縮機４を設置すると、圧縮機４の外郭に形成された電装部３の下方にも除霜水が溜まることになり、冷蔵庫のドアの開け閉めによる冷蔵庫の振動や圧縮機４の起動・停止時の圧縮機４、防振支持装置１０の振動などにより、除霜水が波打ち、除霜水の飛沫が飛び散り電装部３にかかり、圧縮機４の運転異常や、故障の原因につながるという課題を有した。
【課題を解決するための手段】
【０００９】
前記従来の課題を解決するために、本発明の冷蔵庫は冷蔵庫の運転を制御する制御装置によって運転される圧縮機と、前記制御装置と接続され前記圧縮機の外郭に突出した電装部と、前記冷蔵庫内の除霜水を庫外に溜める蒸発皿とを有し、前記圧縮機の外郭下方に前記蒸発皿を配置する機械室を備え、前記蒸発皿は前記電装部の下方まで延在して形成しないものである。
【００１０】
これによって、冷蔵庫のドアの開け閉めによる冷蔵庫の振動や圧縮機の起動・停止時の圧縮機、防振支持装置の振動などより、蒸発皿に溜まっている除霜水が波打ち、除霜水の飛沫が飛び散っても、容易に圧縮機の電装部にかからず、濡れるのを防止できる。
【発明の効果】
【００１１】
本発明の冷蔵庫は蒸発皿に溜まった除霜水が容易に圧縮機の電装部にかかり、濡らすのを防止し、機械室の高さを低くして冷蔵庫の収納容積を大きくできる。
【図面の簡単な説明】
【００１２】
【図１】本発明の実施の形態１における冷蔵庫の機械室の構成図
【図２】本発明の実施の形態１における冷蔵庫の要部断面図
【図３】本発明の実施の形態１における冷蔵庫の機械室の構成図
【図４】本発明の実施の形態２における冷蔵庫の要部断面図
【図５】従来の冷蔵庫の機械室の構成図
【図６】従来の冷蔵庫の要部断面図
【発明を実施するための形態】
【００１３】
第１の発明は冷蔵庫の運転を制御する制御装置によって運転される圧縮機と、前記制御装置と接続され前記圧縮機の外郭に突出した電装部と、前記冷蔵庫内の除霜水を庫外に溜める蒸発皿とを有し、前記圧縮機の外郭下方に前記蒸発皿を配置する機械室を備え、前記蒸発皿は前記電装部の下方まで延在して形成しないものである。
【００１４】
そして、電装部の下方には蒸発皿が配置されていないので、冷蔵庫のドアの開け閉めによる冷蔵庫の振動や圧縮機の起動・停止時の圧縮機、防振支持装置の振動などにより、蒸発皿に溜まっている除霜水が波打ち、除霜水の飛沫が飛び散っても、容易に圧縮機の電装部にかからず、濡れるのを防止できる。言い換えると、圧縮機の外郭下方に蒸発皿を配置する分、機械室の高さを低くして冷蔵庫の収納容積を大きくできる。
【００１５】
第２の発明は、特に、第１の発明の蒸発皿は、電装部側を浅くなるように形成したことにより、通常除霜水は電装部から離れた深い場所に溜まるので、冷蔵庫のドアの開け閉めによる冷蔵庫の振動や圧縮機の起動・停止時の圧縮機、防振支持装置の振動などにより、蒸発皿に溜まっている除霜水が波打ち、除霜水の飛沫が飛び散っても電装部まで届かないので、除霜水が電装部にかかり、濡らすのを確実に防止できる。他方、除霜水が蒸発しにくい冬季や梅雨では、除霜水は蒸発皿に満水近くまで溜まる場合があるが、冷蔵庫ドアの開閉や圧縮機起動・停止時の振動数と、電装部側浅い蒸発皿の除霜水の固有振動数とは異なるので、共鳴により除霜水が大きく波立つことがなく、除霜水の飛沫が飛び散らない。この結果、除霜水が電装部にかかり、濡らすのを防止できる。
【００１６】
第３の発明は、特に、第１の発明の蒸発皿は、電装部から離れた側の壁面上部に開口部を形成したことにより、除霜水が蒸発しにくい冬季や梅雨では、除霜水が蒸発皿から溢れるぐらい溜まる場合があり、この場合除霜水は先ずは開口部から流れ出し、除霜水が電装部側に溢れ出すのを防止できる。すなわち、除霜水が蒸発皿から溢れても、電装部にかか
り、濡らす確率が小さくできる。
【００１７】
第４の発明は、特に、第１の発明の蒸発皿は機械室の底板と一体に形成したことにより、機械室の底板の板厚の分、機械室の高さを低くして冷蔵庫の収納容積を大きくでき、かつ機械室の底板のコストが削減できる。
【００１８】
第５の発明は、特に、第１の発明の蒸発皿は樹脂で形成されていることにより、金属材料に比べて熱伝導率が小さいので、蒸発皿からの放熱が少なく、除霜水の蒸発能力が維持できる。また、金属材料に比べて、弾性が大きいので、冷蔵庫のドアの開け閉めによる冷蔵庫の振動や圧縮機の起動・停止時の圧縮機、防振支持装置の振動などが吸収され、蒸発皿に溜まっている除霜水の波打ちが抑えられる。
【００１９】
第６の発明は、特に、第４の発明の機械室内に配管された冷凍サイクルを構成する高圧側の蒸発促進配管を保持する保持部材を蒸発皿と一体で形成したことにより、高圧側の蒸発促進配管の熱が保持部材を介して蒸発皿へ熱伝導して蒸発皿の温度を上昇させるので、除霜水の蒸発を促進できる。他方、保持部材を蒸発皿と一体で形成しているので、部品点数の削減が図る。
【００２０】
（実施の形態１）
図１は本発明の第１の実施の形態における冷蔵庫の機械室の構成図、図２は同冷蔵庫の要部断面図を示すものである。
【００２１】
図１と図２において、冷蔵庫本体２１の背面下部に形成した機械室２２のそれぞれ両側に、冷凍サイクルの一部を成すカバー付の電装部２３を外郭に備えた圧縮機２４と凝縮器２５と、機械室２２の略中央側には冷蔵庫内の霜が融けた水（除霜水）が排水管２６から導かれる樹脂製の蒸発皿２７（例えば容量１Ｌ〜４Ｌ）と、凝縮器２５から延長し、高温の冷媒が通過する蒸発促進配管２８を蒸発皿２７と一体で形成したツメ形状の保持部材２９に挟み込むように取り付け、配置した蒸発促進手段３０を設けている。他方、蒸発皿２７は凝縮器２５近傍から圧縮機２４の下方に延在して配置され、かつ電装部２３から離れた側（凝縮器２５近傍）の蒸発皿２７の壁面上部に開口部３１を形成している。
【００２２】
また、圧縮機２４は弾性体の防振支持装置３２を介して、蒸発皿２７上に隙間を有して設置されている。特に、防振支持装置３２Ａは蒸発皿２７が電装部２３の下方に配置するのを防止している。冷蔵庫本体２１は庫内３３を形成する内箱３４と、外装を形成する外箱３５と、内箱３４と外箱３５との間隙に充填した断熱材３６とから構成され、内箱３４に設置された蒸発器３７に付着した霜を加熱して溶かすヒータ３８と、蒸発器３７下方に除霜水を排水する排水管２６を配置している。
【００２３】
また、機械室２２は内箱３４と外箱３５及び底板３９から形成され、底板３９には圧縮機２４、蒸発皿２７、防振支持装置３２を配置している。さらに、凝縮器２５は外箱３５に密着させている。制御装置（図示せず）は圧縮機２４（電装部２３）とヒータ３８とを制御する。なお、電装部２３は、制御装置と圧縮機２４とを中継し、凝縮器２５から離れた圧縮機２４の外郭に配置されている。
【００２４】
以上のように構成された冷蔵庫について、以下にその動作、作用を説明する。
【００２５】
まず、制御装置が圧縮機２４を駆動させ、圧縮機２４が気体状冷媒を高温・高圧にする。次に外箱３５を介して大気へ放熱する凝縮器２５と蒸発促進配管２８とが高温・高圧の気体状冷媒を高圧の液状冷媒にする。続いて高圧の液状冷媒が毛細管（図示せず）で低温・低圧になり、さらに蒸発器３７で気体になりながら庫内３３を冷却し、圧縮機２４に戻
る。
【００２６】
そして、霜が蒸発器３７に付着して、蒸発能力が著しく低下した場合（または、所定運転期間経過した場合）、制御装置が圧縮機２４を停止し、またヒータ３８を所定加熱時間ＯＮにして蒸発器３７を加熱し、霜を溶かして冷却能力を回復させる。そして、蒸発器３７に付着した霜を溶かして生成した除霜水は排水管２６を通り蒸発皿２７に溜められる。（一般に０．５Ｌ〜３Ｌ／日）次に、所定加熱期間が経過後、制御装置がヒータ３８をＯＦＦし、圧縮機２４を駆動させる。
【００２７】
そして、蒸発促進手段２９が蒸発促進配管２８の放熱と、蒸発促進配管２８の熱が保持部材２９を介して蒸発皿２７へ熱伝導して蒸発皿２７の温度を上昇させることにより、蒸発皿２７に溜められた除霜水は蒸発促進され減少し、除霜水が蒸発皿２７から溢れることはない。他方、保持部材２９を蒸発皿２７と一体で形成しているので、部品点数の削減が図る。
【００２８】
また、電装部２３の下方には蒸発皿２７が配置されていないので、冷蔵庫のドアの開け閉めによる冷蔵庫の振動や圧縮機２４の起動・停止時の圧縮機２４、防振支持装置３２の振動などにより、蒸発皿２７に溜まっている除霜水が波打ち、除霜水の飛沫が飛び散っても容易に電装部２３のカバーにかからず、電装部２３が除霜水に濡れることはない。言い換えると、蒸発皿２７を圧縮機２４の下方に延在して配置した分、機械室２２の高さを低くして庫内３３の収納容積を大きくできる。
【００２９】
他方、蒸発皿２７は金属材料に比べて熱伝導率が小さい樹脂製なので、蒸発皿２７からの放熱が少なく、除霜水の蒸発能力が高い。また、蒸発皿２７は軟らかいので、冷蔵庫のドアの開け閉めによる冷蔵庫の振動や圧縮機２４の起動・停止時の圧縮機２４、防振支持装置３２の振動などが吸収され、蒸発皿２７に溜まっている除霜水の波打ちが抑えられる。
【００３０】
さらに、除霜水が蒸発しにくい冬季や梅雨では、除霜水が蒸発皿２７から溢れるぐらい溜まると、除霜水は開口部３１から流れ出して除霜水が電装部２３側に溢れ出すのを防止できる。すなわち、除霜水が蒸発皿２７から溢れても、電装２３にかかり、濡らす確率が低く抑えられる。
【００３１】
以上のように、本実施の形態においては、蒸発皿２７は凝縮器２５近傍から圧縮機２４の下方に延在して配置され、かつ電装部２３の下方まで延在して形成しないことにより、冷蔵庫のドアの開け閉めによる冷蔵庫の振動や圧縮機の起動・停止時の圧縮機２４、防振支持装置３２の振動などにより、蒸発皿２７に溜まっている除霜水が波打ち、除霜水の飛沫が飛び散っても容易に電装部２３のカバーにかからず、除霜水が電装部２３を濡らすことがない。
【００３２】
（実施の形態２）
図３は本発明の第２の実施の形態における冷蔵庫の機械室の構成図、図４は同冷蔵庫の要部断面図を示すものである。
【００３３】
以下、実施の形態１と同一部分については同一符号を付してその説明を省略する。実施の形態１と異なるところは、蒸発皿４０の底面を、圧縮機２４の下方を傾斜させ、かつ電装部２３側を浅くなるように底面を形成し、また蒸発皿４０の底部にフランジを形成して機械室２２の底板４１と一体に形成したという点である。
【００３４】
そして、通常除霜水は蒸発皿４０の電装部２３から離れた深い場所（蒸発促進手段３０
近傍）に溜まるので、冷蔵庫のドアの開け閉めによる冷蔵庫の振動や圧縮機２４の起動・停止時の圧縮機２４、防振支持装置３２の振動などにより、蒸発皿４０に溜まっている除霜水が波打ち、除霜水の飛沫が飛び散っても電装部２３まで届かないので、除霜水が電装部２３にかかり、濡らすのを確実に防止できる。他方、通常蒸発皿４０に溜まった除霜水は蒸発促進手段３０近傍に集まるので、蒸発促進手段３０の熱を効率よく使え、除霜水の蒸発性能が向上するので、蒸発皿４０は小さくできる。
【００３５】
また、除霜水が蒸発しにくい冬季や梅雨では、除霜水は蒸発皿４０に満水近くまで溜まる場合があるが、冷蔵庫ドアの開閉や圧縮機２４起動・停止時の振動数と、電装部２３側の浅い蒸発皿４０の固有振動数とは異なるので、共鳴により除霜水が大きく波立つことがなく、除霜水が電装部２３にかかり、濡らすのを防止できる。
【００３６】
他方、実施の形態１の底板３９の板厚の分、機械室２２の高さを低くして庫内３３の収納容積を大きくでき、かつ、底板３９の廃止分コストが削減できる。
【００３７】
なお、蒸発皿４０の底面は圧縮機２４の下方を傾斜させているが、段構成でも同様の効果が得られる。
【産業上の利用可能性】
【００３８】
以上のように、本発明にかかる冷蔵庫は、蒸発皿を圧縮機の下方に配置することで、機械室の高さを低くして冷蔵庫の収納容積を大きくできるので、食品冷蔵、冷凍ケースにも適用できる。
【符号の説明】
【００３９】
２２  機械室
２３  電装部
２４  圧縮機
２７、４０  蒸発皿
２８  蒸発促進配管
２９  保持部材
３１  開口部
３９、４１  底板
【図１】
2011208901.tif 000003
【図２】
2011208901.tif 000004
【図３】
2011208901.tif 000005
【図４】
2011208901.tif 000006
【図５】
2011208901.tif 000007
【図６】
2011208901.tif 000008